【事件の表示】
　上記当事者間の登録第５５２４４７８号商標の商標登録無効審判事件について、次のとおり審決する。
【結　論】
　登録第５５２４４７８号の登録を無効とする。
　審判費用は被請求人の負担とする。
【理　由】
第１　本件商標
　本件登録第５５２４４７８号商標（以下「本件商標」という。）は、「ＬＡＬＡＶＥＳＩ」の欧文字を標準文字で表してなり、平成２４年４月２日に登録出願、第３類「化粧品」を指定商品として、同年８月９日に登録査定、同年９月２８日に設定登録されたものである。
　
第２　請求人の主張
　請求人は、結論同旨の審決を求め、その理由を要旨以下のように述べ、証拠方法として、甲第１号証ないし甲第２５号証（枝番号を含む。なお、すべての枝番号に係る証拠を引用するときは、枝番号の記載を省略する場合がある。）を提出している。
１　商標法第４条第１項第１９号について
ア　引用商標の著名性について
（ア）引用商標「ＬＡＬＡＶＥＳＩ」は、請求人が設立時から取締役を務めている（甲第４号証）、韓国ソウル特別市麻浦区所在の「ＫＢ　ＰＡＣＩＦＩＣ　ＣＯ．，Ｌｔｄ．」（以下「ＫＢパシフィック社」という。）の製造、販売に係る化粧品のブランド名として、２０１０年１０月より、韓国において使用が開始されており、ＫＢパシフィック社は、主に自社ホームページその他のインターネットの通販サイトを通じて、引用商標を付した化粧品を販売している（甲第５号証の１ないし５）。
（イ）引用商標を付した化粧品の売上げは、２０１１年が約４億ウォン、２０１２年が約６２億ウォンであって、１年間で１５倍以上の伸びを記録しており（甲第２３号証）、現在では、ＫＢパシフィック社は、化粧品、特に保湿クリームの部門において、韓国第１位の会社となっている。
　なお、ＫＢパシフィック社は、これまで「ＬＡＬＡＶＥＳＩ」ブランド以外で自社製品の販売は行っていないことから、上記売上げは、すべて「ＬＡＬＡＶＥＳＩ」ブランドの下で販売されたものである。
（ウ）引用商標を付した化粧品は、韓国において、２０１０年１０月から２０１２年４月までの間、韓国日報を始めとするインターネット上の報道関連サイトや「Ｆｏｃｕｓ」、「Ｍｅｔｒｏ」といったフリーペーパー等に記事が掲載されたほか、２０１２年の３月から９月までの間に刊行された各種ファッション系雑誌にも特集記事や宣伝広告が掲載された（甲第６号証ないし甲第９号証）。
　また、ＫＢパシフィック社は、「ＬＡＬＡＶＥＳＩ」ブランドの専属モデルとして、韓国の女性芸能人「Ｍａｙｂｅｅ（メイビー）」（甲第１０号証）を採用し、宣伝活動を行っている（甲第６号証の１、２及び７）。
（エ）引用商標を付した化粧品は、２０１１年２月、韓国における代表的なオープンマーケットである「１１ｓｔｒｅｅｔ」（甲第１１号証。以下「１１番街」という。）において、水分クリーム部門で１位の売上げを獲得し、また、同年３月、同様のオープンマーケットである「Ａｕｃｔｉｏｎ」（甲第１２号証。以下「オークション」という。）において、基礎ケア部門、スキンケア部門及び全体化粧品のそれぞれで１位の売上げを獲得した（甲第６号証の４６）。
　また、「ＬＡＬＡＶＥＳＩ」ブランドは、２０１１年３月３１日、２０１１年上半期の「Ｄｉｇｉｔａｌ　ＹＴＮ消費者が選定したＥ−ＢＩＺブランド大賞」の化粧品部門を受賞し（甲第６号証の４１ないし４４及び５２、甲第１４号証）、同年１２月１５日には、引用商標を付した化粧品の一である「天然コラーゲンウォーター水分クリーム」が、スポーツ韓国ヒット商品に選定された（甲第１５号証）。
　さらに、２０１２年２月、韓国におけるソーシャルコマースの首位業社である「チケットモンスター」と行ったイベントにおいて、引用商標を付した化粧品の一である「モロッコ　アルガン　スチームクリーム」（別名：悪魔クリーム）が、１日で１億ウォンの売上げを記録した（甲第６号証の１１７、１１９、１２２及び１２４、甲第８号証の４８）ほか、韓国のオープンマーケットである「Ｇｍａｒｋｅｔ」（甲第１３号証）、「１１番街」及び「オークション」においては、上記「悪魔クリーム」及びその第２弾である「テティス水分クリーム」が、いずれも保湿部門の１位の売上げを獲得し、同年３月には、該「テティス水分クリーム」が、ソーシャルコマースの「ティモン」で行った共同購入イベントで１日に２万個の販売を記録した（甲第６号証の１３２及び１３３、甲第８号証の５８及び５９）。
（オ）引用商標を付した化粧品は、我が国において、遅くとも２０１２年１月頃、インターネット上の韓国の総合情報サイト「地球の歩き方　韓国の歩き方」やブログに「モロッコ　アルガン　スチームクリーム（悪魔クリーム）」に関する記事が掲載され、その後、同年３月ないし４月にかけて、女性向け総合情報サイト「日経ウーマンオンライン」やブログに同様の記事が掲載されていたことが見受けられる（甲第１８号証）。
　また、２０１２年３月には、韓国製の化粧品等を取り扱っている通信販売サイト「コリアデパート」（甲第１６号証）において、引用商標を付した化粧品のうちの「オッジ　ララベシ　テーテュースクリーム（悪魔クリーム）」、「オッジ　ララベシ　テーテュースクリーム　リアルブラック（悪魔クリーム）」、「モロッコ　アルガン　スチームクリーム（悪魔クリーム）」、「モロッコ　アルガン　スチームクリーム　ＬＯＶＥ　Ｅｄｉｔｉｏｎ（悪魔クリーム）」等が販売されている（甲第１７号証）。
　なお、上記通信販売サイトにおける各商品の登録日は、いずれも平成２４年３月２３日であることから、遅くとも同日には、我が国において、該各商品が入手可能となっていたことが確認できる。
（カ）以上の事実から、引用商標は、ＫＢパシフィック社の業務に係る商品を表示するものとして、少なくとも韓国において、需要者の間に広く認識されていたものであることは明らかである。
イ　本件商標と引用商標との類似について
　本件商標は、前記第１のとおり、「ＬＡＬＡＶＥＳＩ」の欧文字を標準文字で表してなるところ、該文字は、その構成文字に相応して、「ララベシ」の称呼を生じ、特定の意味合いを有しない造語であることから、特定の観念を生じることのないものである。
　他方、引用商標は、「ＬＡＬＡＶＥＳＩ」の欧文字を書してなるものであり、その構成文字を本件商標と同一にするものである。
　したがって、本件商標と引用商標とが同一又は類似の商標であることは、明らかである。
ウ　不正の目的について
　既に述べたとおり、引用商標は、化粧品のブランド名として、韓国において２０１０年１０月から使用が開始され、遅くとも２０１２年３月２３日には、我が国においても、通信販売サイトを通じて、引用商標を付した化粧品が購入可能となっていた。
　また、インターネットその他の媒体での記事やブログ等によれば、引用商標は、本件商標の登録出願時である平成２４年（２０１２年）４月２日には、韓国において周知、著名となっていたことが確認できる。
　さらに、引用商標の「ＬＡＬＡＶＥＳＩ」という文字構成は、極めて独創的であり、楽しみを表す擬声語「ララ」とフィンランド語で水の語源をもつ「ベシ（ｖｅｓｉ）」の合成語で、「水が与える皮膚の楽しみ」という意味合いを有するもの（甲第６号証の５２、甲第９号証の７−２）であって、いずれも一般的な英単語の組合せではなく、語源を知らされなければ、その意味合いについて全く思いつかない類のものである。
　加えて、「ＬＡＬＡＶＥＳＩ」ブランド商品の一である通称「悪魔クリーム」は、既に述べたとおり、韓国内において爆発的に売れたものであるところ、被請求人は、かかる「悪魔クリーム」についても、本件商標と同日に登録出願をしており（甲第２０号証）、該出願については、請求人の所有する登録第５５２２１５６号商標（甲第２２号証の２）が引用されて拒絶されている（甲第２１号証、甲第２２号証の１）。この「悪魔クリーム」という奇抜なネーミングは、「悪魔」という名称を化粧品に使用することが一般的とはいえないことからすれば、被請求人がこれと同じ構成からなる商標を偶然に思いつくなどということは到底考えられない。
　してみれば、本件商標は、引用商標と偶然にその構成が一致したものとは考え難く、外国で周知となっている引用商標が我が国において出願されていないことを奇貨として、請求人に無断で登録出願されたものであり、不正の目的をもって使用されるものであることは明らかである。
　したがって、本件商標は、商標法第４条第１項第１９号に該当するものである。
２　商標法第４条第１項第７号について
　引用商標は、既に述べたとおり、極めて独創的な造語であり、また、本件商標の登録出願時に、少なくとも韓国においては、ＫＢパシフィック社の業務に係る商品を表示するものとして、需要者の間に広く認識されていたものである。
　そして、引用商標を付した化粧品は、遅くとも平成２４年３月２３日には、我が国においても、通信販売サイトを通じて購入可能となっていた。
　そうとすると、被請求人は、少なくとも本件商標の登録出願時において、ＫＢパシフィック社が自己の製造販売に係る商品に引用商標を使用していることを知りつつ、引用商標がやがて我が国で登録出願されることを見越した上で、引用商標をそのまま剽窃し、本件商標を登録出願したことは明らかである。
　加えて、被請求人は、法人ではなく、事業の実態も不明な一個人であるところ、本件商標を自らの業務に使用している事実は確認できず、今後使用する予定があるのかも明らかでないから、ＫＢパシフィック社の国内参入を阻止し、本件商標をＫＢパシフィック社に高額で買い取らせる等の目的で、本件商標を登録出願したものと推認せざるを得ない。
　してみれば、被請求人は、引用商標が我が国において商標登録されていないことを奇貨として、剽窃的及び先取り的に本件商標を登録出願し、請求人に無断で商標登録を得たといわざるを得ないものであるところ、本件商標の登録を認めることは、健全な法感情に照らし、条理上許されないというべきであり、また、商標法の目的にも反し、公正な商標秩序を乱すものというべきであるから、本件商標は、「公の秩序又は善良な風俗を害するおそれがある商標」に該当する。
　したがって、本件商標は、商標法第４条第１項第７号に該当する。
３　むすび
　以上のとおり、本件商標の登録は、商標法第４条第１項第７号及び同項第１９号に違反してされたものであるから、同法第４６条第１項第１号により、無効にすべきものである。
　
第３　被請求人の答弁
　被請求人は、前記第２の請求人の主張に対し、何ら答弁していない。
　
第４　当審の判断
１　本件商標の商標法第４条第１項第１９号該当性について
　請求人の主張及び同人の提出した証拠によれば、以下の事実が認められる。
（１）引用商標の周知著名性
ア　請求人は、２０１０年６月９日に韓国で設立されたＫＢパシフィック社の取締役であり（甲第４号証）、ＫＢパシフィック社は、自己の製造、販売に係る化粧品のブランド名として、２０１０年１０月に韓国において引用商標の使用を開始した。
　そして、ＫＢパシフィック社は、主に自社ホームページその他のインターネットの通販サイトを通じて、引用商標を付した化粧品を販売しているところ（甲第５号証）、その売上げは、２０１１年に約４億ウォンであったものが、２０１２年には約６２億ウォンというように、急激に伸びている（甲第２３号証）。
イ　引用商標及び「ｌａｌａｖｅｓｉ」の欧文字からなる商標を付した化粧品は、韓国において、２０１０年１０月から２０１２年までの間、「韓国日報」や「東亜日報」等のインターネット上の報道関連サイト、「Ｆｏｃｕｓ」等のフリーペーパーに記事が掲載された（甲第６号証ないし甲第８号証）。そして、該記事の訳文（抄訳）によれば、その内容は、以下のとおりである。
（ア）２０１０年１０月２５日付け「文化ジャーナル２１」（甲第６号証の３）
　「発売を控えた化粧品『ララベシ』、反応が普通じゃないよ」の見出しの下、発売を控えている化粧品ブランドのララベシが、オンライン上を熱くしている。（中略）ララベシの製品関連ブロガーのオンラインコンテンツは、９月末、約２０件ほどだったのが、１０月初めと中旬を超えて、約１，８００件を超えるコンテンツがつくられ、口コミの威力を実感できる。
（イ）２０１１年２月９日付け「韓国日報」（甲第６号証の１８）
　「口コミだけで７，０００セット売り上げ　アイクリーム発売２ヶ月でオンライン売り上げ新記録」の見出しの下、ララベシは、発売２ヶ月でオンラインショッピングモールを通じてパープルアイクリームを何と７，０００セットも売った。
（ウ）２０１１年３月２３日付け「韓国日報」（甲第６号証の３２）
　「ララベシ、水分にコラーゲンまで弾力終結クリーム　ララベシ水分クリーム　オープンマーケット売り上げ１位・・・『保湿＋弾力』同時管理」の見出しの下、口コミだけで業界１位、ビューティーブランド　ララベシの水分クリーム人気が尋常でない。ララベシのパープル水分コラーゲンクリームがオープンマーケット１１番街とオークションで売り上げ１位に上がった。この製品は１１番街発売３ヶ月で、オークションでは４ヶ月で水分部門１位の売り上げを達成した。
（エ）２０１１年４月１１日付け「韓国日報」（甲第６号証の４１）
　「ララベシ、消費者選定Ｅ−ビズ大賞　ＹＴＮ『消費者選定Ｅ−ビズ』化粧品部門」の見出しの下、ビューティーブランド　ララベシが発売５ヶ月でブランド大賞を受賞した。（中略）ララベシは既存のビューティブランドとは違い、パープル水分クリーム、パープルアイクリーム、パープルＢＢクリームのただ三つの製品に賞を受けた点で話題になった。
（オ）２０１１年８月３日付け「韓国日報」（甲第６号証の８７）
　「ララベシ、たった１万ウォンでしっとり感を感じて下さい　水分＋カモミールエッセンス２種一週間イベント」の見出しの下、ララベシはオープンマーケット水分製品１位、エッセンス１位、２回の完売、デジタルＹＴＮ上半期ブランド大賞化粧品部門を受賞してビューティーブランドのルーキーに浮かび上がっている。先月７日には南極クアクアクールエッセンスを発売して一気にオンラインニュース　リアルタイム検索１位をしたこともある。
（カ）２０１２年２月８日付け「スポーツ韓国」（甲第６号証の１１７）
　「ＮＥＷ（コンシューマーメイン）ララベシ悪魔クリーム人気集め」の見出しの下、ララベシ悪魔クリームが優れた製品力で人気を独占している。ララベシは製品の市場発表一ヶ月でオンラインのオープンマーケットであるＧマーケット、１１番街、オークションで保湿カテゴリー１位を占めたしソーシャルコマース１位業者であるチケットモンスターと行ったイベントでは一日で１億ウォンの売り上げを記録したと明らかにした。（中略）悪魔クリームは発売前オンラインで輸入クリームと行ったブラインドテストで保湿部門で全勝をした悪魔のような存在感で付けられた愛称で製品名はララベシモロッコアルガンスチームクリームだ。
（キ）２０１２年３月２８日付け「韓国経済」（甲第６号証の１２９）
　「ララベシ悪魔クリーム、ソーシャルコマースで『完売』になった理由は何か」の見出しの下、オンライン水分クリーム市場で熱い反応を得て話題を集めた（株）ララベシの「悪魔クリーム」が人気を集めている。大韓民国第一ソーシャルコマースである「ティモン」を通じて行った共同購入イベントで一日で２万個が完売した。
（ク）２０１０年１１月１９日付け「Ｆｏｃｕｓ」（甲第８号証の１）
　「機能性化粧品『ララベシ』がオンラインを熱くする」の見出しの下、歌手メイビがモデルとして活躍しているララベシは、ビューティーパワーブロガーを中心に、口コミで広がり、今月に入ってオンラインコンテンツの数が約２千個にまで急増した。
（ケ）２０１１年１０月２５日付け「Ｆｏｃｕｓ」（甲第８号証の３０）
　「豪華なＢＢ８，０００ウォン暴風イベント！」の見出しの下、オープンマーケットトリプルクラウン（Ｇマーケット、１１番街、オークションで同時１位）、オンライン完売ブランド、１万人の化粧品でオンラインビューティーアの間で人気を集めているララベシが誕生１周年をむかえ１年間ララベシを愛用したスーパー顧客に１＋１とスーパー価額で構成した「Ｙｏｕ　ａｒｅ　ａ　Ｓｕｐｅｒ　Ｃｕｓｔｏｍｅｒ」イベントを行って話題。
（コ）２０１２年２月９日付け「ｍｅｔｒｏｂｅａｕｔｙ」（甲第８号証の４９）
　「天然オイル『悪魔クリーム』に女心が揺れる　ララベシ製品発売一ヶ月で完売・・・一日売り上げ１億ウォン」の見出しの下、悪魔クリームの製品名はララベシの「モロッコアルガンスチームクリーム」。ララベシ関係者は「最近一カ月間オープンマーケット１１番街・Ｇマーケット・オークションの保湿カテゴリーで１位を占め、ソーシャルコマース業者チケットモンスターと進行したイベントで一日で１億ウォンの売り上げを上げた」と話した。
（サ）２０１２年３月２７日付け「ｍｅｔｒｏｂｅａｕｔｙ」（甲第８号証の５９）
　「『悪魔クリーム２弾』も女心をひきつけた　■ララベシ『テティスクリーム』一日で２万個販売成功神話」の見出しの下、ララベシは、悪魔クリームのアドバンスバージョンである「テティスクリーム」がオンラインで一日で２万個が売れたと２６日明らかにした。Ｇマーケット、１１番街、オークションなど主なオープンマーケット保湿製品カテゴリーで販売１位を占めた「テティスクリーム」は最近ソーシャルコマースサイトのティモンで行われた共同購入イベントで一日で２万個「完売」記録を立てた。
ウ　引用商標を付した化粧品は、２０１２年の３月から９月までの間に刊行された「ＳＵＲＥ」等のファッション系雑誌に特集記事や広告が掲載された（甲第９号証）。
エ　韓国製の化粧品等を取り扱っている通信販売サイトとされる「ＫＯＲＥＡ　ＤＥＰＡＲＴ」に、「ララベシ［韓国コスメ　Ｌａｌａｖｅｓｉ］オッジ　ララベシ　テーテュースクリーム　リアルブラック（悪魔クリーム）」、「ララベシ［韓国コスメ　Ｌａｌａｖｅｓｉ］オッジ　ララベシ　テーテュースクリーム（悪魔クリーム）」及び「ララベシ［韓国コスメ　Ｌａｌａｖｅｓｉ］モロッコ　アルガン　スチームクリーム（悪魔クリーム）」と称する商品が、その商品の画像とともに、いずれも登録日を「平成２４年３月２３日」として掲載されている（甲第１７号証の１、３及び４）。
オ　インターネット上の韓国の総合情報サイトとされる「地球の歩き方　韓国の歩き方」に、２０１２年１月１８日を登録日とする記事として、「韓国女性を支配する“悪魔クリーム”」の見出しの下、「“悪魔”クリーム！？　と耳を疑う強烈なネーミングのクリームが最近ネット上で話題になっていましたが、ついにその正体が明らかにされました。話題になったキッカケは、累積訪問者１００万人以上を誇るビューティー系パワーブロガーたちを対象に行われたブライングテスト。有名コスメブランドの水分クリームなどと比較した結果、高い保湿力と素早い吸収力、リフティング効果などで他社製品を圧倒的に抑える高い点数がつきました。にも関わらず商品詳細がなかなか公開されなかったことで、より多くの関心を集めていた悪魔クリーム。その正体がこちら、ララベシの『モロッコ　アルガンスチームクリーム（Ｍｏｒｏｃｃｏ　Ａｒｇａｎ　Ｓｔｅａｍ　ｃｒｅａｍ）』です！」との記載とともに、該商品の画像が掲載されている（甲第１８号証の１）。
カ　２０１２年１月１８日付け「おまめちゃんのオルチャンへの道」と称するブログに、「コスメ☆モロッコ　アルガンスチームクリーム」の見出しの下、「最近韓国ブロガーを筆頭に話題になってる、モロッコ　アルガンスチームクリーム。別名悪魔クリームと呼ばれています。・・・絶対的保湿力という口コミが広がり、オープンマーケットで販売率１位です。」との記載とともに、該商品の画像が掲載されている（甲第１８号証の２）。
キ　２０１２年３月２２日付け「韓ガールの韓国ソウル観光・コスメ・芸能ニュース」と称するブログに、「韓国で流行り始まっている『悪魔クリーム』の正体は！」の見出しの下、「今日は韓国で流行っているこの『悪魔クリーム』をご紹介いたします。・・・この『悪魔クリーム』は販売前に、名前や成分、ブランド、価格などの情報を一切公開しないで、ブラインドテストを行う韓国のビューティー情報番組『Ｇｅｔ　ｉｔ　ｂｅａｕｔｙ』のブラインドテストで有名ブランドの水分クリームを抜いて圧勝しました。その後、口コミで広まりまってオラインサイトで販売をはじまり、保湿製品カテゴリで１位をしたり、ソーシャルネットワークを通じて行った共同購買イベントでは一日で１億ウォンの売り上げを上げるほど人気でした。販売から１ヶ月で完売する記録をして、水分クリーム界の新たなアイコンとして注目を受けています。販売前に何も公開されていなかった正体をＬＡＬＡＶＥＳＩ（ララベシ）により明らかになりました。」との記載とともに、該商品の画像が掲載されている（甲第１８号証の３）。
ク　２０１２年４月１６日付け「うつみ宮土理のＭｙ　Ｂｏｄｙ　Ｌｏｖｅｓ　アンチエイジング編」と称するブログに、「韓国で大人気！　悪魔のクリーム」の見出しの下、「今、韓国で大人気でとても売れているクリームをお友達に見せてもらいました。その名は、『悪魔クリーム』と呼ばれている保湿クリームです。通常は黄色いケースに入っている商品ですが、今年の３月に買ったら、ホワイトデー期間ということで赤いケースだったということです。『モロッコ　アルガン　スチーム　クリーム』」との記載とともに、該商品の画像が掲載されている（甲第１８号証の４）。
ケ　以上によれば、引用商標を付した化粧品は、２０１０年（平成２２年）１０月頃より、韓国内の化粧品、特に保湿製品の需要者の間で大きな関心を集め、その製品が発売されると間もなく爆発的な人気を得るに至ったものというべきであり、その人気は、少なくとも２０１２年（平成２４年）９月においても継続していたとみるのが相当である。
　してみれば、引用商標は、本件商標の登録出願時（平成２４年４月２日）はもとより、その登録査定時（同年８月９日）においても、韓国内における化粧品の需要者の間において、広く認識されていたものというべきである。
　また、引用商標を付した化粧品のうち、「悪魔クリーム」と称される商品は、その特異な名称と相まって、本件商標の登録出願時には、我が国の需要者の間においても、ある程度知られていたといえる。
（２）本件商標と引用商標との類似性について
　本件商標は、前記第１のとおり、「ＬＡＬＡＶＥＳＩ」の欧文字を標準文字で表してなるものであるのに対し、引用商標は、「ＬＡＬＡＶＥＳＩ」の欧文字からなるものである。
　してみれば、本件商標と引用商標とは、同一の文字構成からなるものであって、その構成態様に照らし、酷似するものといい得るから、両商標の類似性は、極めて高いといわなければならない。
（３）不正の目的について
　本件商標は、上記（２）のとおり、引用商標と酷似するものであって、しかも、「ＬＡＬＡＶＥＳＩ」の文字は、辞書等に掲載されているものではなく、親しまれた既成の観念を有する成語を表したものとはいえないことからすると、偶然の一致とは到底考えられないものである。
　そして、引用商標を付した化粧品は、本件商標の登録出願時には既に、韓国において高い人気を得ており、同国内の需要者の間で広く認識されていたこと、我が国においては、近年、「韓国コスメ」などと称される韓国製の化粧品が広く紹介され、少なからず関心を集めていることは周知の事実であるところ、引用商標を付した化粧品のうち、特に「悪魔クリーム」と称される商品は、本件商標の登録出願時には、その需要者の間において、ある程度知られていたといえること、などを総合勘案すると、被請求人は、本件商標の登録出願時に、引用商標の存在を熟知していたものというべきであり、引用商標が商標登録されていないことを奇貨として先取りし、剽窃的に本件商標を登録出願し、その登録を受けたものといわざるを得ない。
　なお、被請求人は、前記第３のとおり、本件審判における請求人の主張に対し、何ら答弁していない。
　以上によれば、本件商標は、韓国内の需要者の間に広く認識されている引用商標と類似するものであり、引用商標の名声、周知性等に便乗し、不正の利益を得る目的をもって使用するものというべきである。
　したがって、本件商標は、商標法第４条第１項第１９号に該当するものである。
２　むすび
　以上のとおり、本件商標の登録は、商標法第４条第１項第１９号に違反してされたものであるから、同法第４６条第１項の規定に基づき、無効にすべきものである。
　よって、結論のとおり審決する。